(57)【要約】【課題】  外面に設けた印刷が摩耗しにくく、かつ強度が強く、部品点数が少なく、組み立てが容易で経済的に得られる筆記具の軸筒を提供する。【解決手段】  軸筒の先端から後端に延びる長さの本体ベース部（２）を一次成形する。その本体ベース部（２）の後部外側に２色成形若しくはインサート成形の要領により外軸（３）を二次成形する。さらに、本体ベース部（２）の先端と外軸（３）の先端間に軟質のグリップ部（４）を２色成形若しくはインサート成形の要領により三次成形する。印刷を設ける場合、本体ベース部（２）の外面に設け、外軸（３）を透明性のプラスチック材料で形成する。または、外軸（３）に空所を設けて印刷部がみえるようにする。【選択図】      図１
2005231228.tif 000002
【特許請求の範囲】
【請求項１】
軸筒の先端から後端に延びる長さの本体ベース部を有し、該本体ベース部の後部外側に２色成形若しくはインサート成形の要領により外軸を形成し、該外軸の先端と本体ベース部の先端間の本体ベース部の外側に２色成形若しくはインサート成形の要領により軟質のグリップ部を形成したことを特徴とする筆記具の軸筒。
【請求項２】
上記外軸はクリップを含む請求項１に記載の筆記具の軸筒。
【請求項３】
上記本体ベース部の外面には印刷面が形成され、上記外軸を通して該印刷面を視認できるよう外軸を透明性材料で構成した請求項１に記載の筆記具の軸筒。
【請求項４】
上記本体ベース部の外面には印刷面が形成され、上記外軸は該印刷面を囲んで形成されている請求項１に記載の筆記具の軸筒。
【請求項５】
上記外軸の先端には段部が形成され、上記グリップ部の後端は該段部に重ね合わされている請求項１ないし４のいずれかに記載の筆記具の軸筒。
【発明の詳細な説明】
【技術分野】
【０００１】
本発明は、シャープペンシル、ボールペン、蛍光ペンその他の筆記具の軸筒に関するものである。
【背景技術】
【０００２】
筆記具の軸筒は、通常、プラスチック材料で筒状に作られ、表面に商標や模様、図形、文字その他の表示を印刷し、各種の部品を組み込んで筆記具として完成されるが、上記表示部が軸筒の表面に露出しているため机面、紙面、ポケット等で摩滅したり、輸送中の振動等により摩滅し、外観を損ねることがあった。
【０００３】
また、軸筒に各種の部品をねじ着したり、嵌め込むから、外部負荷がかかると接続部や嵌合部に荷重が集中し、破損する原因となるし、特に軸筒の長さが長いものでは筆記中のしなりに対する耐久性に乏しく、さらに複雑なデザイン形状を得るためには、組立、嵌合等の部品が多くなるから、高精度の製品が得にくかった。一般に、デザイン上、多種多様の色が必要な場合、従来のものではその色の数に応じたパーツを成形して組み立てる必要があり、組立コストや製品コストの上昇につながることになり、その上デザイン上内径が小さな箇所に大きな外径が必要な場合や例えば図１２に示すようにクリップの基端のように肉厚部（２０）がある場合には、成形時にヒケを生じる危険性があり、デザイン通りの形状を出すことができなかった。
【０００４】
従来、一次成形部の外面に装飾部を突出し、その上に透光性合成樹脂材料で二次成形部を二重成形した筆記具構成部材が知られており（例えば、特許文献１参照）、また軸筒に凹凸状部でパターンを形成し、その上に２色成形によりパターンがみえるようにグリップ部材を形成した筆記具の軸筒も知られている（例えば、特許文献２参照）。しかし、これらの公報に記載されているものは、単に一次成形部に設けたパターン等を透光性を有する二次成形部を通して見ることができるようにするだけであって、軸筒自体の強度を高めたり、変化に豊んだ色彩を組み合せできるようにしたり、ヒケを生じることなく肉厚を厚く形成できるような構成にはなっておらず、またグリップ部の端部がなめらかに軸筒本体部分につながらないものが多い。
【特許文献１】特開２００３−１０３９８３号公報（特許請求の範囲、図１）
【特許文献２】特開２００３−８０８８０号公報（特許請求の範囲、図１）
【発明の開示】
【発明が解決しようとする課題】
【０００５】
本発明の解決課題は、多種多様なデザインや色彩等に対応でき、肉厚部があってもヒケを生じることもなく、強度も高められ、印刷面を設けた場合にも摩耗を生じにくく、グリップ部もなめらかに形成できる筆記具の軸筒を提供することである。
【課題を解決するための手段】
【０００６】
本発明によれば、軸筒の先端から後端に延びる長さの本体ベース部を有し、該本体ベース部の後部外側に２色成形若しくはインサート成形の要領により外軸を形成し、該外軸の先端と本体ベース部の先端間の本体ベース部の外側に２色成形若しくはインサート成形の要領により軟質のグリップ部を形成したことを特徴とする筆記具の軸筒が提供され、上記課題が解決される。また、印刷面を設ける場合は、該印刷面は、本体ベース部の外面に形成され、該印刷面を覆うように透明性材料で外軸を構成したり、該印刷面を囲むように外軸を形成した上記筆記具の軸筒が提供され、さらに外軸の先端に段部を設け、該段部に重なるようにグリップ部の後端を形成した筆記具の軸筒が提供される。
【発明の効果】
【０００７】
本発明は上記のように構成され、本体ベース部の後部外側に２色成形若しくはインサート成形の要領により外軸を形成し、該外軸の先端と本体ベース部の先端間の本体ベース部の外側に軟質のグリップ部を２色成形若しくはインサート成形の要領により形成したから、結果として三次成形によりグリップ部がなめらかにつながった一体的な軸筒が形成され、強固な構造に形成することができ、従来嵌合やねじ着等により組み込んでいたクリップ等の部品も一体成形できるので、組み立てが簡単になり、コストも改善することができ、また、多色成形することも容易であり、デザイン上肉厚にしなければならないときは、本体ベース部と外軸の重ね合わせにより所望の厚さに形成でき、ヒケの危険性を解消でき、種々変化に富んだ筆記具の軸筒を得ることができる。また、印刷面を本体ベース部の外面に形成し、その上に透明性材料で外軸を形成したり、印刷面を囲むように外軸を設けることにより、該印刷面が摩耗しないようにできるし、外軸の先端とグリップ部の後端を重ね合わせるように成形すると、軸筒の中心部の強度が増し、しなりに対する耐久性を増大することができる。
【発明を実施するための最良の形態】
【０００８】
図１は、本発明の筆記具の一実施例を示し、軸筒（１）は、本体ベース部（２）、外軸（３）及びグリップ部（４）で構成され、図に示す実施例では軸筒（１）の後端には軸筒内に収納されたシャープペンシルやボールペンその他の筆記機構を操作するノック部材（５）が突出しているが、筆記具の種類等に応じて種々の形状、構造に形成することができる。
【０００９】
図２は、図１に示す筆記具の軸筒の本体ベース部（２）を示し、該本体ベース部は軸筒の先端から後端に延びる長さの筒状体に形成される。該本体ベース部（２）は、プラスチック材料で成形され、その先端には、鉛芯やボールペン等の筆記先端が突出する口金部（６）が段部（７）を介して一体的に成形されているが、該口金部を別体にしたり、金属材料で構成してインサート成形により本体ベース部に一体成形するようにしてもよい。
【００１０】
上記本体ベース部（２）を一次成形品とし、その後部外周には、転写、ホットスタンプ、シルク印刷等適宜の方法で表示（８）を印刷することができる。この表示（８）を形成する印刷面は、図３に示すように、上記外軸（３）に対応する範囲（９）内に設けることが好ましいが、該印刷は必ずしも設けなくてもよい。
【００１１】
上記本体ベース部（２）の後部外側には、図４に示すように２色成形若しくはインサート成形の要領により上記外軸（３）が二次成形品として一体成形される。この外軸（３）は、上記本体ベース部（２）と同色でもよいが、色彩を変えると変化に富んだ製品が得られ、上記表示（８）が透視できるよう図４に示す実施例では透明性プラスチック材料で形成されている。また、該外軸（３）は後端部にクリップ（１０）を形成してあるが、その他適宜の部材を形成してもよい。なお、該外軸（３）の先端側には軸方向にわん曲する凹部が形成され、該わん曲部（１１）内に小突起状の外軸部片（１２）を形成してあるが、該先端側を直線状に形成したり、外軸部片を省略してもよい。
【００１２】
上記のように外軸（３）を形成した二次成形品の先部、すなわち外軸（３）の先端と本体ベース部（２）の先端間の本体ベース部（２）の外側には、適宜のエラストマーや軟質プラスチック材料等で軟質の上記グリップ部（４）が２色成形若しくはインサート成形の要領で三次成形品として一体成形される（図５）。この際、グリップ部（４）は、上記口金部（６）の段部（７）と外軸（３）の厚さに対応する厚さに形成され、表面がフラットになるように形成することができる。このようにすれば、図１に示す如き筆記具の軸筒が得られ、上記表示（８）は透明性のある外軸（３）により保護される。
【００１３】
上記実施例では、外軸（３）を構成する材料として透明性のあるプラスチック材料を用いたが、不透明性のプラスチック材料を用いることもできる。この場合には、図６に示すように、外軸（３）を二次成形する際、表示（８）を囲むよう空所（１３）を設ければよい。そのようにすれば、筆記具として組み立てた際、図７に示すように表示（８）が外軸（３）の外表面よりも凹んだ位置に形成されるので、摩耗により損傷しにくい。
【００１４】
上記実施例では、外軸（３）の先端にグリップ部の後端をつき合せ状態になるように三次成形したが、重ね合わされるように形成してもよい。このようにするには、図８に示すように、外軸（３）の先端に段部（１４）を形成し、グリップ部（４）を該段部（１４）の上に重なるように三次成形すればよい。また、模様兼滑り止めとして上記本体ベース部（２）や外軸（３）が部分的に表われるように、グリップ部（４）に孔（１５）を設けたり（図９参照）、リング状の空所（１６）を設けてもよい（図１０参照）。
【００１５】
上記図１２に示す従来例のように、肉厚となってヒケを生じる危険性があるときには、図１１に示すように、本体ベース部（２）側に隆起部（１７）を設け、該隆起部（１７）と一体成形されるように該隆起部（１７）の上に外軸（３）を二次成形することにより必要な強度を有するヒケのない肉厚に形成することができる。
【００１６】
上記実施例では、三次成形により本体ベース部、外軸及びグリップ部を形成したが、より多色にしたり、複雑なデザインにする場合は、四次成形以上の成形方法により上記各部材等を一体成形すればよい。
【図面の簡単な説明】
【００１７】
【図１】本発明の一実施例の軸筒を有する筆記具の正面図。
【図２】本体ベース部の正面図。
【図３】印刷を表示した本体ベース部の正面図。
【図４】外軸を設けた状態の正面図。
【図５】グリップ部を設けた状態の正面図。
【図６】他の実施例を示し、外軸を形成した状態の正面図。
【図７】図６に示す二次成形品にグリップ部を形成した筆記具の正面図。
【図８】外軸とグリップ部を重ね合わせた実施例を示す説明図。
【図９】他の実施例を示す説明図。
【図１０】他の実施例の正面図。
【図１１】さらに他の実施例を示す説明図。
【図１２】従来例の説明図。
【符号の説明】
【００１８】
１    軸筒
２    本体ベース部
３    外軸
４    グリップ部
【図１】
2005231228.tif 000003
【図２】
2005231228.tif 000004
【図３】
2005231228.tif 000005
【図４】
2005231228.tif 000006
【図５】
2005231228.tif 000007
【図６】
2005231228.tif 000008
【図７】
2005231228.tif 000009
【図８】
2005231228.tif 000010
【図９】
2005231228.tif 000011
【図１０】
2005231228.tif 000012
【図１１】
2005231228.tif 000013
【図１２】
2005231228.tif 000014